(57)【要約】      （修正有）【課題】凸条部と凹条部が順次繰り返す屋根構造、特に切版屋根においても、当該凸条部の少なくとも斜め表面形状に沿って断熱構造をとることができ、しかも取り付けが簡単である。【解決手段】凸条部２と凹条部３が順次繰り返す断面凸凹状の切版屋根１において、凸条部２の外部表面側２ａに凸条部２の表面形状に沿って集合する断面逆凹状の屋根構造用の断熱体４を複数個取り付け、断面逆凹状の断熱体４が、径方向に向かって基材層とこの基材層に設けられた断熱層とを備え、周方向に向かって傾斜部と天面部と傾斜部とからなる。【選択図】図１
0003139987.tif 000002
【実用新案登録請求の範囲】
【請求項１】
凸条部と凹条部が順次繰り返す断面凸凹状の屋根構造において、
当該凸条部の外部表面側に当該凸条部の表面形状に沿って集合する断面逆凹状の屋根用の断熱体を複数個取り付け、
上記断面逆凹状の断熱体が、径方向に向かって基材層とこの基材層に設けられた断熱層とを備え、周方向に向かって傾斜部と天面部と傾斜部とからなることを特徴とする屋根構造。
【請求項２】
上記屋根が切版屋根であって、上記断熱層が基材層側に断熱塗料層を備え、その断熱塗料層の少なくとも一部にコケ層を設けた請求項１記載の屋根構造。
【請求項３】
上記コケ層が、当該断熱塗料層に取り付けられるコケフレームからなり、当該各コケフレームにはコケが植生されている請求項２記載の屋根構造。
【請求項４】
コケ層を備えた断熱体と、コケ層を有しない断熱体からなる請求項２記載の屋根構造。
【請求項５】
上記断面逆凹状の断熱体からなり、
周方向に向かって傾斜部と天面部と傾斜部とからなり、
径方向に向かって基材層とこの基材層に設けられた断熱層とを備え、
上記断熱層が基材層側に断熱塗料層を備え、その断熱塗料層の少なくとも上記傾斜部にコケ層を設け、
上記コケ層が、当該断熱塗料層に取り付けられるコケフレームからなり、当該各コケフレームにはコケが植生されている屋根構造用断熱体。
【考案の詳細な説明】
【技術分野】
【０００１】
本考案は、屋根構造において、特に切版屋根の屋上緑化及び断熱性の改良に関する。
【背景技術】
【０００２】
従来より、例えばコンビニエンスストアや工場の屋根に切版屋根が提供されている（特許文献１、特許文献２）。
【０００３】
【特許文献１】実用新案登録第３０８８８７２号公報
【特許文献２】実開平４−６６２２８号公報
【０００４】
しかし切版屋根は、外部に露出しかつ簡単な構造で構成されているため、外部環境の温度に影響されやすい。たとえば夏場では切版屋根の外部表面温度が７０〜８０℃となる。
このため室内では内部空気温度が２５〜２８℃となるようにしなければならず、空調の使用量は大幅に増大する。
【０００５】
特に、切版屋根はフラットな構造ではなく、凸条部と凹条部が順次繰り返す断面凸凹状の形状であるため、内部に断熱構造はとることは可能であるが、当該凸条部の少なくとも斜め表面形状に沿った断熱構造はとりにくい。
【考案の開示】
【考案が解決しようとする課題】
【０００６】
本考案の課題は、凸条部と凹条部が順次繰り返す屋根構造、特に切版屋根構造においても、当該凸条部の少なくとも斜め表面形状に沿って断熱構造をとることができ、しかも取り付けが簡単である切版屋根を提供するころにある。
【課題を解決するための手段】
【０００７】
上記課題を解決するため鋭意検討した結果、
本考案は、凸条部と凹条部が順次繰り返す断面凸凹状の屋根構造において、
当該凸条部の外部表面側に当該凸条部の表面形状に沿って集合する断面逆凹状の屋根構造用の断熱体を複数個取り付け、
上記断面逆凹状の断熱体が、径方向に向かって基材層とこの基材層に設けられた断熱層とを備え、周方向に向かって傾斜部と天面部と傾斜部とからなることを特徴とする屋根構造である。
【０００８】
特に、屋根が切版屋根（折版屋根）であって、上記断熱層が基材層側に断熱塗料層を備え、その断熱塗料層の少なくとも上記傾斜部にコケ層を設けた切版屋根が少なくとも傾斜部における屋上緑化の点で好ましい。
【０００９】
また上記コケ層は、当該断熱塗料層に取り付けられるコケフレームからなり、当該各コケフレームにはコケが植生されていることが好ましい。
【００１０】
要するに切版屋根などの断熱体として、
上記断面逆凹状の断熱体からなり、
周方向に向かって傾斜部と天面部と傾斜部とからなり、
径方向に向かって基材層とこの基材層に設けられた断熱層とを備え、
上記断熱層が基材層側に断熱塗料層を備え、その断熱塗料層の少なくとも上記傾斜部にコケ層を設け、
上記コケ層が、当該断熱塗料層に取り付けられるコケフレームからなり、当該各コケフレームにはコケが植生されていることが好ましい。
【考案の効果】
【００１１】
これにより、本考案は、凸条部と凹条部が順次繰り返す切版屋根構造においても、当該凸条部の少なくとも斜め表面形状に沿って断熱構造をとることができ、しかも取り付けが簡単である。また断熱塗料層を設けると、断熱塗料層を設けないものと比べて、約３０℃前後下がる。さらにコケ層を設けると、コケ層を設けないものと比べて、約５℃前後下がるため好ましい。
【考案を実施するための最良の形態】
【００１２】
図１は本考案で用いられる切版屋根の一実施態様である斜視図である。
図２は切版屋根に設けられる断熱体の一例を示す斜視図である。
【００１３】
図１において、１は凸条部２と凹条部３が順次繰り返す断面凸凹状の切版屋根である。
４は断面逆凹状の断熱体であり、上記凸条部２の外部表面側２ａに当該凸条部２の表面形状に沿って複数個集合し取り付けられている。なお、ａは外部側、ｂは内部側である。
【００１４】
上記断面逆凹状の断熱体４は、図２に示す様に、径方向ｃに向かって基材層４ａとこの基材層４ａに設けられた断熱層４ｂとを備え、周方向ｄに向かって傾斜部ｆと天面部ｇと傾斜部ｈとからなる。
【００１５】
特に、この実施形態では、上記断熱層４ｂが基材層４ａ側に断熱塗料層４１を備え、その断熱塗料層４１の少なくとも上記傾斜部ｆにコケ層４２を設けた切版屋根が少なくとも傾斜部ｆにおける屋上緑化の点で好ましい。
【００１６】
また上記コケ層４２は、当該断熱塗料層４１に取り付けられるコケフレーム６からなり、当該各コケフレーム６にはコケ７が植生されている。なお、上記断熱体４は切版屋根の天面部にある天面孔１１に取り付けねじ８（既設の取り付けねじでも可能である。）にて取り付けられている。なお、上記凹条部３は通水部９となっている。
【００１７】
なお、１０は天面部ｇを構成する天面、５は傾斜部ｆを構成する斜め表面５である。またなお本実施形態は約７割の面積をコケ層を備えた断熱体、約３割の面積をコケ層を備えない断熱体としている。そうすることによって場所に応じた断熱性を担保している。
【００１８】
このように本実施形態では傾斜部ｆ、ｈ側、すなわち斜め表面５側に断熱体４、特にコケ７が植生される構造であることから、従来になく断熱効果がすぐれている。
【００１９】
断熱塗料層としてはフェノール樹脂系、アクリル樹脂系、アルキド樹脂系、エポキシ樹脂系樹脂などであるが、特に微粒中空ガラスビースを含む断熱塗料層が好ましい。
【００２０】
コケとしては人工コケからなり、人工コケはその配偶体の周囲に再生芽が繁殖したコケ、特にスナコケからなることが望ましい。
【実施例】
【００２１】
図１及び図２に示したコケの断熱体を取り付けた切版屋根と取り付けない切版屋根を比較試験した。その結果、コケの断熱体を取り付けない切版屋根では外部表面温度が７０〜８０℃となるのに対して、コケの断熱体を取り付けた切版屋根の外部表面温度が３５℃となり、空調の温度調節は１０℃の差となり、断熱効果が優れている。
【産業上の利用可能性】
【００２２】
本考案は、切版の屋根に好適に用いることができる。
【図面の簡単な説明】
【００２３】
【図１】本考案で用いられる切版に係る屋根構造の一実施態様である斜視図である。
【図２】本考案に係る切版屋根に設けられる断熱体の一例を示す斜視図である。
【符号の説明】
【００２４】
１    切版屋根
２    凸条部
２ａ  外部表面側
３    凹条部
４    断熱体
４ａ  基材層
４ｂ  断熱層
ｆ    傾斜部
ｇ    天面部
【図１】
0003139987.tif 000003
【図２】
0003139987.tif 000004
【手続補正書】
【提出日】平成19年12月26日(2007.12.26)
【手続補正１】
【補正対象書類名】実用新案登録請求の範囲
【補正対象項目名】全文
【補正方法】変更
【補正の内容】
【実用新案登録請求の範囲】
【請求項１】
凸条部と凹条部が順次繰り返す断面凸凹状の屋根構造において、
当該凸条部の外部表面側に当該凸条部の表面形状に沿って集合する断面逆凹状の屋根用の断熱体を複数個取り付け、
上記断面逆凹状の断熱体が、径方向に向かって基材層とこの基材層に設けられた断熱層とを備え、周方向に向かって傾斜部と天面部と傾斜部とからなることを特徴とする屋根構造。
【請求項２】
上記屋根が切版屋根であって、上記断熱層が基材層側に断熱塗料層を備え、その断熱塗料層の少なくとも一部にコケ層を設けた請求項１記載の屋根構造。
【請求項３】
上記コケ層が、当該断熱塗料層に取り付けられるコケフレームからなり、当該各コケフレームにはコケが植生されている請求項２記載の屋根構造。
【請求項４】
コケ層を備えた断熱体と、コケ層を有しない断熱体からなる請求項２記載の屋根構造。
【請求項５】
上記断面逆凹状の断熱体からなり、
周方向に向かって傾斜部と天面部と傾斜部とからなり、
径方向に向かって基材層とこの基材層に設けられた断熱層とを備え、
上記断熱層が基材層側に断熱塗料層を備え、その断熱塗料層の少なくとも上記傾斜部にコケ層を設け、
上記コケ層が、当該断熱塗料層に取り付けられるコケフレームからなり、当該各コケフレームにはコケが植生されている請求項１記載の屋根構造用断熱体。